【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
駆動綱車式エレベータが一連の巻き上げロープで少なくとも部分的に懸垂されるエレベータかごを有し、前記一連のロープが１つ以上の並行するロープを含み、前記エレベータかごが前記ロープによって移動可能である、前記駆動綱車式エレベータの前記巻き上げロープの交換、掛設、および／または再ローピングを行うローピング方法において、該方法は、前記巻き上げロープに対して作用するロープ送り装置が用いられて新しいロープをエレベータに対して送り込み、および／またはあり得る古い巻き上げロープを引き出して前記新しいロープと交換することを特徴とする方法。
【請求項２】
請求項１に記載の方法において、前記エレベータの前記巻き上げロープの交換および／または再ローピングを行う方法は：
ｊ）  前記エレベータかごと、そのあり得る釣合い重りとを所定の位置で固定する工程と、
ｋ）  前記巻き上げロープを、望ましくは前記エレベータかごを必要な距離だけ持ち上げることによって緩める工程と、
ｌ）  前記ロープ送り装置を前記巻き上げロープに対して作用させるように取り付ける工程と、
ｍ）  前記巻き上げロープの両端部をそれぞれの固定部から解放する工程と、
ｎ）  送り込むべき新しいロープをエレベータシャフトから引き出すべき前記古いロープの一方の端部とロープスプライスによって接合する工程と、
ｏ）  前記ロープ送り装置によって前記新しいロープをエレベータに対して送り込み、前記古い巻き上げロープを引き出す工程と、
ｐ）  前記新しい巻き上げロープをその両端部で最終固定部に対して固定する工程と、
ｑ）  前記一連の巻き上げロープのそれぞれのロープに対して工程ｂ）〜ｇ）を繰り返す工程と、
ｒ）  前記ロープ送り装置を移動させて、前記エレベータかごと、そのあり得る釣合い重りとを前記固定部から解放して、それらを前記新しい巻き上げロープによって支持する工程とを含むことを特徴とする方法。
【請求項３】
請求項１に記載の方法において、前記エレベータロープを掛設する方法は、
ｈ）  前記エレベータかごと、そのあり得る釣合い重りとをそれぞれの取り付け位置に固定する工程と、
ｉ）  前記ロープ送り装置をエレベータシャフト、機械室、または他の適切な場所における所定の位置に固定する工程と、
ｊ）  エレベータ巻き上げロープを前記ロープ送り装置を通過させて取り付ける工程と、
ｋ）  前記ロープをあり得る釣合い重りに対して前記ロープ送り装置によって送り込み、それに前記ロープを固定部のその最終固定点で固定する工程と、
ｌ）  前記ロープの他方の端部を固定部のその最終固定点で固定する工程と、
ｍ）  前記ロープ送り装置を解放して、巻き上げロープの本数に応じて工程ｂ）〜ｅ）を繰り返す工程と、
ｎ）  前記ロープ送り装置を移動させて、前記巻き上げロープをそれぞれの最終緊張度まで引っ張る工程とを含むことを特徴とする方法。
【請求項４】
前記請求項のいずれかに記載の方法において、該方法は、前記新しい巻き上げロープをエレベータシャフトおよび前記ロープ送り装置に対してリールから送り込み、前記リールを、望ましくは最寄の乗り場で、前記エレベータかご内もしくはその近辺、またはエレベータ機械室内に配置し、交換または再ローピングすべき前記古いロープをロープリールへと引っ張り、それは、望ましくは電動で、および／または前記エレベータの前記ロープ送り装置と同期して作動することを特徴とする方法。
【請求項５】
請求項１ないし３のいずれかに記載の方法において、該方法は、前記ロープを回収容器に回収するよう配設し、前記ロープを前記回収容器へ押し込み、前記回収容器を前記ロープの推力によって回転軸を中心として回転させることを特徴とする方法。
【請求項６】
請求項５に記載の方法において、該方法は、回収すべき前記ロープを、前記回収容器へと押し込む前に、管状ガイド部材へと搬送し、それが前記ロープを実質的に下方傾斜角で前記回収容器へと案内するよう適合されていることを特徴とする方法。
【請求項７】
請求項５または６に記載の方法において、エレベータロープの交換に関連して回収すべき前記ロープは、古い巻き上げロープであり、それは、前記新しいロープを前記古い巻き上げロープによって所定の位置へと引っ張りながら、前記ロープ送り装置または重力によって前記ガイド部材を介して前記回収容器へ押し込むことを特徴とする方法。
【請求項８】
請求項１ないし７のいずれかに記載の方法において、該方法は、前記ロープ送り装置を、それをエレベータシャフトにおけるその所定の位置に対してエレベータシャフトの所定の位置のロープに沿って進行させることによって、所定の位置へと移動させることを特徴とする方法。
【請求項９】
駆動綱車式エレベータが一連の巻き上げロープで少なくとも部分的に懸垂されるエレベータかごを有し、前記一連のロープが１つ以上の並行するロープを含み、前記エレベータかごが前記ロープによって移動可能である、前記駆動綱車式エレベータの前記巻き上げロープの交換、掛設、および／または再ローピングを行うロープ送り装置において、該ロープ送り装置は、少なくとも１つの送りディスクが取り付けられる基台を少なくとも含み、前記送りディスクは、前記巻き上げロープを係合して、前記送りディスクに対して前記巻き上げロープを取り付けることができ、該装置は、前記巻き上げロープを前記送りディスクにおける所定の位置に保つ少なくとも１つのガイドローラと、前記ガイドローラに対して前記送りディスクを移動させて、それを前記基台における所定の位置に締め付ける締め付け部材と、さらに、前記装置に取り付けられて前記送りディスクを回転させる少なくとも１つの電動機とを含むことを特徴とするロープ送り装置。
【請求項１０】
請求項９に記載のロープ送り装置において、該ロープ送り装置の前記送りディスクは、少なくとも２つのディスクを含み、それらの間で前記巻き上げロープが押されて前記巻き上げロープと前記送りディスクとの間に摩擦を生成することができ、前記ディスクの少なくとも一方をガイドローラに対して移動可能にして前記巻き上げロープを該装置に係合させ、望ましくは締め付け可能なバネである締め付け部材によって所定の位置に締め付け可能にすることを特徴とするロープ送り装置。
【請求項１１】
請求項９ないし１０のいずれかに記載のロープ送り装置において、該装置は、少なくとも２つ以上の送りディスクを有し、該装置は、２つ以上のガイドローラを有することを特徴とするロープ送り装置。
【請求項１２】
請求項１０ないし１１のいずれかに記載のロープ送り装置において、前記締め付け可能バネまたはその同等物は、前記ディスクによって作られる前記送りディスクの外側に配置され、前記ディスクを互いに対して押し付けることを特徴とするロープ送り装置。
【請求項１３】
請求項１０ないし１２のいずれかに記載のロープ送り装置において、前記締め付け可能バネまたはその同等物は前記送りディスクと同軸にあることを特徴とするロープ送り装置。
【請求項１４】
請求項９ないし１３のいずれかに記載のロープ送り装置において、前記エレベータの該ロープ送り装置は、モータを備えたロープリールを含み、エレベータシャフト、乗り場または他の適切な場所における所定の位置に取り付けられて、前記古い巻き上げロープを巻き取り、前記ロープリールは、ロープ引張装置と同期して作動するように適合されていることを特徴とするロープ送り装置。
【請求項１５】
請求項９ないし１３のいずれかに記載のロープ送り装置において、前記エレベータの該ロープ送り装置は、エレベータシャフト、乗り場または他の適切な場所における所定の位置に取り付けられた回収容器を含み、回収すべき前記ロープは、前記容器に配されるように適合され、前記回収容器は、回転軸を備え、前記回収容器は、回収すべき前記ロープの押す力によってその回転軸を中心として回転するよう適合されていること特徴とするロープ送り装置。